(57)【要約】【課題】大容量のペットボトル容器内の飲料を円滑に注ぎ出し、特に開封直後で注ぐときの周囲への飛散、汚損等を防止し、また流出量を調整できるようにする。【解決手段】ペットボトル容器Ｂの注ぎ口Ｐ内に装着する有底筒状の注ぎ具本体１を形成する。この注ぎ具本体１におけるペットボトル容器Ｂ内に位置する閉塞部２に、ペットボトル容器Ｂ内の飲料を注ぎ具本体１内を経て流出させる飲料流出孔４と、ペットボトル容器Ｂ外の空気を注ぎ具本体１内を経てペットボトル容器Ｂ内に導入させる外気導入孔５とを開穿形成する。ペットボトル容器Ｂを傾けて飲料を注ぐときで、飲料流出孔４は下方に、外気導入孔５は上方に位置するものとしてある。飲料流出孔４、外気導入孔５は、注ぎ具本体１の前後方向に沿う中心線に対して対称的に配置する。【選択図】図１
2009040425.tif 000002
【特許請求の範囲】
【請求項１】
ペットボトル容器の注ぎ口内に装着される有底筒状の注ぎ具本体を形成し、この注ぎ具本体におけるペットボトル容器内に位置する閉塞部に、ペットボトル容器内の飲料を注ぎ具本体内を経て流出させる飲料流出孔と、ペットボトル容器外の空気を注ぎ具本体内を経てペットボトル容器内に導入させる外気導入孔とを開穿形成したことを特徴とするボトル用注ぎ口具。
【請求項２】
ペットボトル容器を傾けて飲料を注ぐときで、飲料流出孔は下方に、外気導入孔は上方に位置するものとしてある請求項１に記載のボトル用注ぎ口具。
【請求項３】
飲料流出孔、外気導入孔は、注ぎ具本体の前後方向に沿う中心線に対して対称的に配置し、対称位置は上下、左右の少なくともいずれか一方としてある請求項１または２に記載のボトル用注ぎ口具。
【請求項４】
飲料流出孔、外気導入孔部分をそれぞれに区画する区画壁を注ぎ具本体内部に形成してある請求項１乃至３のいずれかに記載のボトル用注ぎ口具。
【請求項５】
飲料流出孔あるいは外気導入孔の少なくともいずれか一方を複数個にして配列形成してある請求項１乃至４のいずれかに記載のボトル用注ぎ口具。
【請求項６】
閉塞部を平坦面状に形成すると共に、閉塞部と注ぎ具本体自体の周側壁部との境界でそれぞれに跨るようにして飲料流出孔、外気導入孔それぞれを開穿形成してある請求項１乃至５のいずれかに記載のボトル用注ぎ口具。
【発明の詳細な説明】
【技術分野】
【０００１】
本発明は、主としてペットボトル容器内の飲料を例えばコップその他の飲用容器に注ぐときに、ペットボトル容器内への空気の導入を円滑にすることで飲料を周囲に飛散させることなく円滑に注ぐ出すことができるようにしたボトル用注ぎ口具に関する。
【背景技術】
【０００２】
従来から、ペットボトル容器、特に容量が比較的に大きな例えば１．５乃至２リットルのペットボトル容器から、収容してある飲料をコップその他の飲用容器に注ぐとき、ペットボトル容器内の飲料とペットボトル容器内に給気される外気とが置換されることで、飲料が外部に供給されるものとなっている。ところが、開封直後のペットボトル容器内から飲料を注ぐとき、ペットボトル容器の注ぎ口が小径筒状に形成されていて、注ぎ口自体が隘路となっていることもあって、その注ぎ口部位での飲料と外気との置換が極めて困難な状態となっており、そのためペットボトル容器の注ぎ口からは飲料が多くでたり、少なく出たりして注ぎ量が一定しないことがある。
【０００３】
すなわち、大型のペットボトル容器から飲料を注ぐときに飲料が小径な筒状の注ぎ口を塞ぐために、そのときは外気がペットボトル容器内に入り込めず、ペットボトル容器内の空気圧が臨界点に達した時点で一気にペットボトル容器内に流入する。そのために、ペットボトル容器内の飲料は円滑に流れ出ずに、大きく波打つように脈動的に勢いよく多く出たり、逆に少なく出たりする。そうすると、ペットボトル容器の注ぎ口、飲用容器等の周囲に飲料を飛散させ、また着衣を汚損させることになる。特に、ペットボトル容器を開封したばかりでは、ペットボトル容器内には空気がほとんど入っていないし、また重量的にも嵩張っていることでペットボトル容器自体を傾けるのも容易でないこともあって、ペットボトル容器内から飲料を注ぎ出すこと自体が面倒でもある。
【０００４】
こうした点を解消すべく、ペットボトル容器からの飲料を円滑に注ぐことができるように、例えば特許文献１乃至５にあるような各種の注ぎ口器具が提案されている。液体が入っている容器を注ぎやすくするための補助具に関する特許文献１はペットボトル等の注ぎ口に、注ぎ口内に嵌め合わせるマウスピースに、ペットボトル内外を連通させるストローを固定したものである。容器用中栓及び容器に関する特許文献２はペットボトルの口部に着脱自在な装着部に、ペットボトル内に空気を案内流入させるパイプを固定したものである。注ぎ口器具及び容器に関する特許文献３は注ぎ口に係止される係止部に脱落防止耳、隔壁を設け、この隔壁から容器内に延長して繋げた空気流入管路を有するものである。ボトルアダプタに関する特許文献４はペットボトルの注ぎ口の内外に跨るように蛇腹を有するヘアピン状のストローから成るものである。ペットボトルに関する特許文献５は注ぎ口に筒状部形成部材を取り付け、ペットボトル内の空気だまりに空気を供給する空気取り入れ通路を形成したものである。
【特許文献１】特開２００５−４１５７０号公報
【特許文献２】特開２００６−６９６５６号公報
【特許文献３】特開２００６−２４８５６８号公報
【特許文献４】登録実用新案第３０９０３４２号公報
【特許文献５】登録実用新案第３１２００９３号公報
【発明の開示】
【発明が解決しようとする課題】
【０００５】
このような従来の注ぎ口器具は、注ぎ口内外で外気を連通させるようにパイプ材等から成る空気流通管を設けるもので、外気をペットボトル容器内に導入させることで内外圧を平衡とするように、ペットボトル容器の注ぎ口部位で容器内外を連通させるにすぎない。したがって、ペットボトル容器内から注がれる飲料は、開封されたばかりでペットボトル容器内に大量の飲料が入っているときでは、ペットボトル容器を傾けて注ぐとしても、流出量を調整することは困難であった。
【０００６】
そこで本発明は叙上のような従来存した諸事情に鑑み創出されたもので、その目的は特に大容量のペットボトル容器内の飲料を円滑に注ぎ出すことができるように、小径な注ぎ口におけるペットボトル容器内への外気の導入を円滑にし、また流出量を調整できるようにして、特に開封直後で注ぐときの周囲への飛散、汚損等を防止することにある。また、ペットボトル容器の注ぎ口に簡単に着脱でき、構成も簡単で安価に提供できるボトル用注ぎ口具を提供することにある。
【課題を解決するための手段】
【０００７】
上述した課題を解決するため、本発明にあっては、ペットボトル容器Ｂの注ぎ口Ｐ内に装着される有底筒状の注ぎ具本体１を形成し、この注ぎ具本体１におけるペットボトル容器Ｂ内に位置する閉塞部２に、ペットボトル容器Ｂ内の飲料を注ぎ具本体１内を経て流出させる飲料流出孔４と、ペットボトル容器Ｂ外の空気を注ぎ具本体１内を経てペットボトル容器Ｂ内に導入させる外気導入孔５とを開穿形成したことを特徴とする。
ペットボトル容器Ｂを傾けて飲料を注ぐときで、飲料流出孔４は下方に、外気導入孔５は上方に位置するものとしてある。
飲料流出孔４、外気導入孔５は、注ぎ具本体１の前後方向に沿う中心線に対して対称的に配置することができ、対称位置は上下、左右の少なくともいずれか一方とすることができる。
飲料流出孔４、外気導入孔５部分をそれぞれに区画する区画壁６を注ぎ具本体１内部に形成することができる。
飲料流出孔４あるいは外気導入孔５の少なくともいずれか一方を複数個にして配列形成することができる。
閉塞部２を平坦面状に形成すると共に、閉塞部２と注ぎ具本体１自体の周側壁部との境界でそれぞれに跨るようにして飲料流出孔４、外気導入孔５それぞれを開穿形成することができる。
【０００８】
以上のように構成された本発明に係るボトル用注ぎ口具にあって、所定のペットボトル容器Ｂの注ぎ口Ｐ内に装着し、ペットボトル容器Ｂ自体を傾けて内部の飲料を外部に注ぐとき、上方に位置する外気導入孔５は外気をペットボトル容器Ｂ内に導入し、下方に位置する飲料流出孔４は飲料を流出させ、ペットボトル容器Ｂ内外で外気と飲料とを注ぎ具本体１内を通じて置換させて飲料を円滑に流出させる。
注ぎ具本体１内で通じる外気と飲料とは、外気は注ぎ具本体１内の上部に、飲料は注ぎ具本体１内の下部にそれぞれ分離され、注ぎ具本体１内で外気と飲料とを交わらせることなく、外気をペットボトル容器Ｂ内に導入させ、飲料をペットボトル容器Ｂ外に流出させる。
注ぎ具本体１の閉塞部２は、ペットボトル容器Ｂ内で、注ぎ口Ｐの直前位置でペットボトル容器Ｂ内から流出する飲料を一時的にでも堰き止め、飲料流出孔４にて流量を規制し、調整させることで注ぎ口Ｐから飲料を円滑に定量で注がせる。
区画壁６は、注ぎ具本体１内を外気導入部分と飲料流出部分とに注ぎ具本体１内で分離し、複数の飲料流出孔４、外気導入孔５は飲料、外気それぞれの導入、流出を一層円滑にし、また、閉塞部２は容器本体１内での飲料の注ぎ口Ｐ側への流出を堰き止め、流出量を定量化させるのに役立つ。
【発明の効果】
【０００９】
本発明は以上に説明したように構成されているため、特に大容量のペットボトル容器Ｂ内の飲料を注ぎ出すとき、小径な注ぎ口Ｐおけるペットボトル容器Ｂ内への外気の導入を円滑にし、また流出量を調整することで飲料の注ぎ出しを円滑にすることができる。したがって、従来のように一時的にでも多く出たり、少なく出たりするのを防止し、周囲に飲料等を飛散させない。また、注ぎ口Ｐ内に装着される筒状の注ぎ具本体１の閉塞部２に飲料流出孔４、外気導入孔５を開穿形成した構成であるため、構造簡単で取扱いも容易であり、各種のペットボトル容器Ｂの注ぎ口Ｐに装着可能で、使用勝手に優れる。
【００１０】
すなわちこれは本発明において、ペットボトル容器Ｂの注ぎ口Ｐ内に装着される有底筒状の注ぎ具本体１におけるペットボトル容器Ｂ内に位置する閉塞部２に、ペットボトル容器Ｂ内の飲料を流出させる飲料流出孔４と、ペットボトル容器Ｂ外の空気を導入させる外気導入孔５とを開穿形成したからであり、これによって、ペットボトル容器Ｂ内から飲料を注ぐときの外気のペットボトル容器Ｂ内への導入による円滑な注ぎ動作、周囲への飛散防止等を図ることができる。
【００１１】
また、飲料流出孔４を経たペットボトル容器Ｂ外への飲料の流出、外気導入孔５を経たペットボトル容器Ｂ内への外気の導入は、いずれも注ぎ具本体１内部を通じて行われるも、飲料は注ぎ具本体１の下部で、外気は注ぎ具本体１の上部で分離されているから、両者が混じることはなく、飲料流出、外気導入は円滑に行われる。そのため、飲料が一時的にでも多く流出したり、逆に少なかったり等の脈動的な流出現象は生じなく、周囲に飛散されることもなく、適当な流量で飲用容器等に円滑に注ぐことができる。
【００１２】
更に注ぎ具本体１における閉塞部２は、ペットボトル容器Ｂ内の注ぎ口Ｐ直前に位置することで、ペットボトル容器Ｂ内の飲料を一時的にでも堰き止め、飲料流出孔４を経ての飲料の流出を調整し、定量化させるのに役立つ。
【００１３】
そしてまた、注ぎ具本体１内における区画壁６は、注ぎ具本体１内を外気導入部分と飲料流出部分とに注ぎ具本体１内で確実に分離し、ペットボトル容器Ｂ内における飲料と外気との置換を円滑にする。また、複数の飲料流出孔４、外気導入孔５は飲料、外気それぞれの導入、流出を円滑にする。
【００１４】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【発明を実施するための最良の形態】
【００１５】
以下図面を参照して本発明を実施するための最良の一形態を説明する。図において示される符号１は注ぎ具本体であり、この注ぎ具本体１は、ペットボトル容器Ｂにおける小径な筒状の注ぎ口Ｐ内にほぼ密着状にして装着されるようになっている有底筒状を呈し、内部が空洞となっている。
【００１６】
すなわち、注ぎ具本体１は、注ぎ口Ｐの内径にほぼ対応する外形を有し、注ぎ口Ｐ内に装着されたときの注ぎ具本体１において、ペットボトル容器Ｂ内側には注ぎ具本体１を閉塞している例えば球面状の閉塞部２が形成されている。また、注ぎ口Ｐの開口側には注ぎ口Ｐ端縁に当接して、注ぎ具本体１自体がペットボトル容器Ｂ内に必要以上に押し込まれないようにする鍔状のフランジ当接部３が形成されている。尚、この注ぎ具本体１自体は、ペットボトル容器Ｂと同素材のもので形成することで、ペットボトル容器Ｂを廃棄するときにペットボトル容器Ｂと同様な用途に再利用できる利点がある。
【００１７】
フランジ当接部３自体は、肉薄に形成されており、肉薄に形成されることで注ぎ具本体１を注ぎ口Ｐ内に装着したままでも、注ぎ口Ｐに対するキャップの開放・閉塞を可能にさせ、また不要時では注ぎ口Ｐからの取り外しが簡単であるようにする。
【００１８】
また、閉塞部２自体は、注ぎ口Ｐ内に注ぎ具本体１が装着されたとき、注ぎ口Ｐ位置からペットボトル容器Ｂ内方に突出していたり、あるいは注ぎ口Ｐ部位に位置していたり等、閉塞部２自体の形状、これに伴う後述の飲料流出孔４、外気導入孔５それぞれの開口位置、形状その他によって適宜に設定される。要は、注ぎ具本体１自体は、流出する飲料によっても脱落することなく、注ぎ口Ｐ内にしっくりと固定されていて、これの周側壁が注ぎ口Ｐ内側面に密着するものとなるときでも、飲料流出孔４、外気導入孔５それぞれが開放されるものとなっていればよい。
【００１９】
そして、閉塞部２には、ペットボトル容器Ｂ内の飲料を注ぎ具本体１内を経て流出させる飲料流出孔４と、ペットボトル容器Ｂ外部の空気を注ぎ具本体１内を経てペットボトル容器Ｂ内に導入させる外気導入孔５とを開穿形成してある。また、注ぎ口Ｐに注ぎ具本体１を装着したときでは、閉塞部２が注ぎ口Ｐ外部とペットボトル容器Ｂ内部とを区画し、隔てたものとしている。この隔てた状態で、飲料流出孔４にて飲料を流出させ、外気導入孔５にて外気を導入させるものとするため、飲料を注ぐべくペットボトル容器Ｂ自体を傾けたときに、飲料流出孔４は下方に、外気導入孔５は上方にそれぞれ位置するものとなっていれば足り、飲料流出孔４、外気導入孔５それぞれが形状・構造等の相違によって特に区別される必要はない。
【００２０】
これらの飲料流出孔４、外気導入孔５は、注ぎ具本体１を注ぎ口Ｐ内に装着したとき、閉塞部２及び周側壁の一部を注ぎ口Ｐ位置から内方に突出させるように、注ぎ口Ｐ長さに比し長くした注ぎ具本体１とした場合には、閉塞部２あるいは周側壁に形成される。また、注ぎ具本体１が注ぎ口Ｐ内に位置するように注ぎ口Ｐ長さに比し短くした注ぎ具本体１とした場合には、閉塞部２自体に形成され、閉塞部２を球面状、湾曲状等とすることで、閉塞部２自体にあるいは周側壁にも形成することができる。
【００２１】
図１、図２に示される第１の実施の形態では、飲料流出孔４、外気導入孔５は、例えば円形あるいは長円形、楕円形等のほぼ同形状で、注ぎ具本体１の前後方向に沿う中心線に対して対称的に、すなわち注ぎ具本体１を注ぎ口Ｐに装着し、ペットボトル容器Ｂを傾けたときの上下位置で対称的に配置されている。こうすることで、注ぎ具本体１における上下位置を特別に配慮することなく、例えば角筒型のペットボトル容器Ｂであれば、傾ける向きに合わせて注ぎ具本体１を注ぎ口Ｐに装着すれば良く、ペットボトル容器Ｂを傾けるときの上下方向を特に限定せずに使用できる。
【００２２】
図３に示される第２の実施の形態では、飲料流出孔４、外気導入孔５部分をそれぞれに区画する区画壁６を注ぎ具本体１内部に形成したものである。この区画壁６によって、ペットボトル容器Ｂを傾けて飲料を注ぐとき、特に注ぎ具本体１内における外気の外気導入孔５への導入区域を確保できる利点がある。
【００２３】
図４に示される第３の実施の形態では、飲料流出孔４あるいは外気導入孔５の少なくともいずれか一方を複数個にして配列形成したものである。例えば外気導入孔５を複数個にすることでペットボトル容器Ｂ内への外気の導入を、飲料流出孔４を複数個にすることで飲料の流出をそれぞれ一層円滑にする。図例にあっては、外気導入孔５を複数個にし、また飲料流出孔４のそれよりも小径にする共に、注ぎ具本体１の前後方向に沿って配列されている。外気導入孔５自体は、この図例に限定されることはなく、例えば複数列にしたり、群状にしたり等の配列形態更にはそれぞれを異径、異形にする等の変更も可能である。尚、飲料流出孔４を外気導入孔５数に比し多くしたり、開口大きさを大きくしたりすることも可能であることは勿論である。
【００２４】
図５に示される第４の実施の形態では、閉塞部２を平坦面状、すなわち注ぎ具本体１全体を円柱状に形成すると共に注ぎ口Ｐの長さに比し長く形成しておき、注ぎ口Ｐからペットボトル容器Ｂ内方に位置する注ぎ具本体１における周側壁部に飲料流出孔４、外気導入孔５それぞれを開穿形成したものである。この場合、飲料流出孔４、外気導入孔５それぞれは閉塞部２と注ぎ具本体１における周側壁部との境界それぞれに跨るようにして開穿形成することもできる。
【００２５】
図６に示される第５の実施の形態では、閉塞部２を平坦面状、すなわち注ぎ具本体１全体を円柱状に形成し、この閉塞部２部位に飲料流出孔４、外気導入孔５それぞれを開穿形成したものである。この場合、注ぎ具本体１自体は、注ぎ口Ｐの長さに比し短く形成でき、小型化を図ることができる。
【００２６】
図７に示される第６の実施の形態では、注ぎ具本体１の前後方向に沿う中心線に対して上下・左右で対称的に、すなわち注ぎ口Ｐに装着し、ペットボトル容器Ｂを傾けたときの上下及び左右位置で対称的に配置されている。こうすることで、例えば円筒状を呈するペットボトル容器Ｂにおいて、これを傾けて内部の飲料を注ぐとき、ペットボトル容器Ｂ自体を傾けるとき、ペットボトル容器Ｂ自体の向きを厳密に区別する必要がないようにすることができる。
【００２７】
もとより、これらの実施の形態においては、注ぎ具本体１、飲料流出孔４、外気導入孔５等の具体的形状、配列等を示すにすぎず、これらに限定されるものではない。
【００２８】
尚、図中符号７は水抜き孔であり、閉塞部２が湾曲形成されている場合、不使用時においてペットボトル容器Ｂが立てられた状態で保管等されるとき、注ぎ具本体１内に残存する飲料をペットボトル容器Ｂ内に戻すために、閉塞部２の奥底部分に小径状で開穿されている。
【００２９】
次にこれの使用の一例を説明すると、図１に示すように例えば容量が大きい角筒型のペットボトル容器Ｂにおける注ぎ口Ｐ内に、閉塞部２側から注ぎ具本体１を押し込み装着する。装着に際し、ペットボトル容器Ｂ内の飲料を注ぐときにペットボトル容器Ｂ自体の傾け方向の上下位置に対応して飲料流出孔４、外気導入孔５を位置させる。
【００３０】
このようにして装着した後に、飲料流出孔４が下方に、外気導入孔５が上方に位置するようにしてペットボトル容器Ｂを傾け、その注ぎ口Ｐから内部の飲料を所定の飲用容器に注ぐのである。注ぐとき、図２、図５（ｂ）、図６（ｂ）に示すように閉塞部２がペットボトル容器Ｂ内の飲料を堰き止め、飲料流出孔４のみから、これを経ることで注ぎ具本体１内部を通って飲料をペットボトル容器Ｂ外に流出量を調整して流出させる。一方、飲料は閉塞部２によって堰き止められ、開放されている外気導入孔５を経て外気はペットボトル容器Ｂ内に導入され、飲料と外気とを置換してペットボトル容器Ｂ内に空気溜まりを形成する。このように飲料の流出に対応して外気を多く導入し、ペットボトル容器Ｂ内外の気圧を平衡させる。こうすることで、ペットボトル容器Ｂ内の飲料を円滑に注ぎ口Ｐから流出させ、所定の飲用容器に飲料を円滑に注ぐ。
【００３１】
また、ペットボトル容器Ｂ内の飲料が少なくなれば、本発明に係る注ぎ口具自体は、注ぎ口Ｐから取り外し、他のペットボトル容器Ｂに装着し、再度利用し、あるいはペットボトル容器Ｂと共に廃棄する。ペットボトル容器Ｂと共に廃棄するとき、本発明注ぎ口具がペットボトル容器Ｂと同素材としておくことでその再利用を容易にする。
【図面の簡単な説明】
【００３２】
【図１】本発明を実施するための最良の形態を示す斜視図である。
【図２】同じく使用状態の断面図である。
【図３】同じく第２の実施の形態における一部切欠斜視図である。
【図４】同じく第３の実施の形態における斜視図である。
【図５】同じく第４の実施の形態を示し、その（ａ）は斜視図、その（ｂ）は使用状態の断面図である。
【図６】同じく第５の実施の形態を示し、その（ａ）は斜視図、その（ｂ）は使用状態の断面図である。
【図７】同じく第６の実施の形態における斜視図である。
【符号の説明】
【００３３】
Ｂ…ペットボトル容器                    Ｐ…注ぎ口
１…注ぎ具本体                          ２…閉塞部
３…フランジ当接部                      ４…飲料流出孔
５…外気導入孔                          ６…区画壁
７…水抜き孔
【図１】
2009040425.tif 000003
【図２】
2009040425.tif 000004
【図３】
2009040425.tif 000005
【図４】
2009040425.tif 000006
【図５】
2009040425.tif 000007
【図６】
2009040425.tif 000008
【図７】
2009040425.tif 000009